【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
照射された放射線に応じた放射線画像を取得する放射線撮像装置と、該放射線撮像装置を制御する制御装置を備える放射線撮像システムであって、
前記放射線撮像装置は、
放射線を電気信号に変換する変換素子及び前記電気信号を転送するスイッチ素子を有する放射線検出部と、
前記制御装置から出力される同期信号を検出する検出部と、
前記同期信号に基づいて前記放射線検出部の動作の制御を行う制御部と、
前記同期信号が以前に検出されてからの経過時間を計測する計測手段と、を備え、
前記制御部は、前記経過時間に応じて前記放射線検出部の動作を変更するように制御することを特徴とする放射線撮像システム。
【請求項２】
前記制御部は、前記放射線検出部に入射した放射線に応じた放射線画像を取得する撮像動作と、前記放射線画像を補正するためのオフセット画像を取得するオフセット取得動作によって前記放射線検出部の動作を制御することが可能であり、
前記制御部は、前記経過時間に応じて前記オフセット取得動作で前記放射線検出部を動作させることを特徴とする請求項１に記載の放射線撮像システム。
【請求項３】
前記制御部は、更に、前記スイッチ素子のオン・オフ動作の切り替えを繰り返す撮影待機動作と、前記撮影待機動作よりも前記スイッチ素子を制御するためのオン電圧とオフ電圧の差が小さくなるように制御するスタンバイ動作によって前記放射線検出部の動作を制御することが可能であり、
前記制御部は、前記経過時間に応じて前記スタンバイ動作で前記放射線検出部を動作させることを特徴とする請求項２に記載の放射線撮像システム。
【請求項４】
前記制御部は、前記撮影待機動作で前記放射線検出部を動作させた累積時間が、閾値以上になった場合に前記制御装置に通知することを特徴とする請求項３の記載の放射線撮像システム。
【請求項５】
前記制御部は、前記検出部が同期信号を検出し、且つ、前記制御装置から放射線照射スイッチへの入力がされていることを示す信号を検出している場合には、前記放射線検出部に前記撮像動作を行わせるように制御し、前記検出部が同期信号を検出し、且つ、前記制御装置から放射線照射スイッチへの入力がされていることを示す信号を検出していない場合には、前記放射線検出部に前記撮影待機動作を行わせるように制御することを特徴とする請求項３又は４に記載の放射線撮像システム。
【請求項６】
前記放射線撮像装置は、前記制御装置から複数の撮影モードのうちの１つの撮影モードが指定され、前記指定された撮影モードに応じたフレームレートで複数の放射線画像を取得する動画撮影が可能であり、
前記計測部は、現在のフレームよりも前のフレームで前記同期信号を検出した時点と、現在のフレームにおいて同期信号が入力されていないと判定した時点までの差分に基づいて経過時間を取得することを特徴とする請求項１から５のいずれか１項に記載の放射線撮像システム。
【請求項７】
前記放射線撮像装置は、前記制御装置から出力される同期信号とは異なる同期信号を自身で生成する内部信号生成部を備え、
前記制御部は、前記経過時間に応じて、前記制御装置から出力される同期信号に基づく動作の制御から該自身で生成した同期信号に基づく動作の制御に、前記放射線検出部の動作を変更することを特徴とする請求項３から６のいずれか１項に記載の放射線撮像システム。
【請求項８】
前記待機動作は、前記内部信号生成部で生成された信号に基づいて動作することを特徴とする請求項７に記載の放射線撮像システム。
【請求項９】
前記制御部は、前記同期信号が検出されない場合で、且つ、前記経過時間が第一の時間よりも小さい場合に、前記放射線検出部の駆動をスイッチ素子をオフ状態で停止させて維持することを特徴とする請求項３から８のいずれか１項に記載の放射線撮像システム。
【請求項１０】
前記制御部は、前記同期信号が検出されない場合で、前記経過時間が第一の時間以上で且つ第二の時間よりも小さい場合に、前記オフセット取得動作で前記放射線検出部を動作させるように制御することを特徴とする請求項９に記載の放射線撮像システム。
【請求項１１】
前記制御部は、前記同期信号が検出されない場合で、且つ、前記経過時間が第二の時間より大きい場合に、前記スタンバイ動作で前記放射線検出部を動作させるように制御することを特徴とする請求項１０に記載の放射線撮像システム。
【請求項１２】
照射された放射線に応じた放射線画像を取得し、該放射線撮像装置を制御する制御装置と通信可能な放射線撮像装置であって、
放射線を電気信号に変換する変換素子及び前記電気信号を転送するスイッチ素子を有する放射線検出部と、
前記制御装置から出力される同期信号を検出する検出部と、
前記同期信号に基づいて前記放射線検出部の動作の制御を行う制御部と、
前記同期信号が以前に検出されてからの経過時間を計測する計測手段と、を備え、
前記制御部は、前記経過時間に応じて前記放射線検出部の動作を変更するように制御することを特徴とする。
【請求項１３】
放射線を電気信号に変換する変換素子及び前記電気信号を転送するスイッチ素子を有する放射線検出部を有し、照射された放射線に応じた放射線画像を取得し、該放射線撮像装置を制御する制御装置と通信可能な放射線撮像装置の制御方法であって、
前記制御装置から出力される同期信号を検出する工程と、
前記同期信号に基づいて前記放射線検出部の動作の制御を行う工程と、
前記同期信号が以前に検出されてからの経過時間を計測する計測工程と、
前記前記経過時間に応じて前記放射線検出部の動作を変更するように制御する工程と、を有することを特徴とする放射線撮像装置の制御方法。
【請求項１４】
放射線撮影システムの一部を構成する放射線撮影装置であって、
放射線を電荷に変換する変換素子及び前記電荷を転送するスイッチ素子を有し、前記変換素子に入射した放射線に対応する放射線画像を取得するセンサ部と、
複数の動作のうちの一つを実行するように前記センサ部を制御する制御部であって、
前記複数の動作は、前記スイッチ素子を繰り返しオン・オフさせる撮影待機動作、前記スイッチ素子を制御するための電圧値を、前記撮影待機動作の電圧値より低くなるように変化させるスタンバイ動作、前記変換素子に入射する放射線に対応する放射線画像を取得する撮影動作、前記放射線画像を補正するためのオフセット画像を取得するオフセット取得動作、前記スイッチ素子をオフさせる停止動作、を含み、
前記制御部は、同期信号を前に受信してからの経過時間が第一の時間より短い時は、前記停止動作を実行し、前記経過時間が前記第一の時間を超えて、第二の時間より短い時は、前記オフセット取得動作を実行することを特徴とする放射線撮影装置。
【請求項１５】
前記制御部は、前記経過時間が前記第二の時間を超えた時、前記スタンバイ動作を実行する請求項１４記載の放射線撮影装置。
【請求項１６】
放射線撮影システムの一部を構成する放射線撮影装置であって、
放射線を電荷に変換する変換素子及び前記電荷を転送するスイッチ素子を有し、前記変換素子に入射した放射線に対応する放射線画像を取得するセンサ部と、
複数の動作のうちの一つを実行するように前記センサ部を制御する制御部であって、
前記複数の動作は、前記スイッチ素子を繰り返しオン・オフさせる撮影待機動作、前記スイッチ素子を制御するための電圧値を、前記撮影待機動作の電圧値より低くなるように変化させるスタンバイ動作、前記変換素子に入射する放射線に対応する放射線画像を取得する撮影動作、前記放射線画像を補正するためのオフセット画像を取得するオフセット取得動作、を含み、
前記制御部は、同期信号と、撮影要求を示す第一の信号とが入力された時、前記撮影動作を実行し、前記同期信号は入力されたが、前記第一の信号は入力されない時、前記撮影待機動作を実行することを特徴とする放射線撮影装置。
【請求項１７】
前記制御部は、前記撮影待機動作前に制御装置から指定された撮影モードでのオフセット取得動作を実行する請求項１６記載の放射線撮影装置。